(57)【要約】【課題】  健康補助機能を有する特定の粒状体が外皮で覆われた構造の健康補助具であって、製造が容易でありながら、患部に対して均一に所期の健康補助効果を確実に発揮することができる健康補助具を提供する。【解決手段】  健康補助機能を有する特定の粒状体Ａが外皮Ｂ，Ｃの内面に貼設された両面テープＤ，Ｄの接着剤層の間に層状に保持されている。このため、特定の粒状体Ａが外皮Ｂ，Ｃ内で移動して偏在することがなく、患部に対して所期の健康補助効果を確実に発揮する。また、製造の際には、外皮Ｂ，Ｃにキルティングを施す作業が不用であるため、製造が容易である。【選択図】  図１
0003108866.tif 000002
【実用新案登録請求の範囲】
【請求項１】
健康補助機能を有する特定の粒状体が外皮で覆われた構造の健康補助具であって、前記外皮の内面には接着剤層が設けられ、この接着剤層の間に前記粒状体が層状に保持されていることを特徴とする健康補助具。
【請求項２】
前記接着剤層は、前記外皮の内面に貼設された両面テープにより構成されていることを特徴とする請求項１に記載の健康補助具。
【請求項３】
前記粒状体は、有用微生物群（ＥＭ）が生成した二次的副産物（ＥＭ−Ｘ）を含有するＥＭ−Ｘセラミックスの粒状体であることを特徴とする請求項１または２に記載の健康補助具。
【請求項４】
前記外皮が肩用パッドとして構成されていることを特徴とする請求項１〜３の何れかに記載の健康補助具。
【請求項５】
前記外皮が腰用パッドとして構成されていることを特徴とする請求項１〜３の何れかに記載の健康補助具。
【請求項６】
前記外皮がアイマスクとして構成されていることを特徴とする請求項１〜３の何れかに記載の健康補助具。
【請求項７】
前記外皮が鉢巻きまたは靴の中敷きとして構成されていることを特徴とする請求項１〜３の何れかに記載の健康補助具。
【考案の詳細な説明】
【技術分野】
【０００１】
この考案は、患部に対して健康補助効果を発揮する健康補助具に関するものである。
【背景技術】
【０００２】
肩こり、腰痛、筋肉痛などの症状を緩和する健康補助具として、磁気や遠赤外線あるいはマイナスイオンを発生するものが従来一般に知られている。また、近年においては、生体に有用な特定の波動を発生するものが注目されている。これは、ＥＭ（Effective Micro Organismis）と称される有用微生物群が生成する二次的副産物（抗酸化物質および生理活性物質を主体としたものであってＥＭ−Ｘと称される）であり、例えば高温で焼成されたＥＭ−Ｘセラミックスとして提供されている（例えば特許文献１参照）。
【０００３】
そして、このＥＭ−Ｘセラミックスが発生する特定の強力な波動を患部に照射させて症状を緩和するようにした各種の健康補助具が提案されている（例えば特許文献１、２参照）。
【特許文献１】特開平９−２８５３５号公報
【特許文献２】実用新案登録第３０８８５８１号公報
【考案の開示】
【考案が解決しようとする課題】
【０００４】
ところで、特許文献１に記載されたシート状の健康補助具においては、粒状のＥＭ−Ｘセラミックスをシート材の内部に敷き詰めた状態でシート材にキルティングを施している。このため、キルティングを施す際には、粒状のＥＭ−Ｘセラミックスを除けて作業する必要があり、製造作業が甚だ面倒である。
【０００５】
そこで、この考案は、健康補助機能を有する特定の粒状体が外皮で覆われた構造の健康補助具であって、製造が容易でありながら、患部に対して均一に所期の健康補助効果を確実に発揮することができる健康補助具を提供することを課題とする。
【課題を解決するための手段】
【０００６】
この考案に係る健康補助具は、健康補助機能を有する特定の粒状体が外皮で覆われた構造の健康補助具であって、前記外皮の内面には接着剤層が設けられ、この接着剤層の間に前記粒状体が層状に保持されていることを特徴とすることを特徴とする。
【０００７】
この考案に係る健康補助具では、健康補助機能を有する特定の粒状体が外皮の内面の接着剤層の間に層状に保持されているため、特定の粒状体が外皮内で移動して偏在することがなく、患部に対して均一に所期の健康補助効果を確実に発揮する。また、製造の際には、外皮にキルティングを施す作業が不用であるため、製造が容易である。
【０００８】
この考案に係る健康補助具において、接着剤層が外皮の内面に貼設された両面テープにより構成されていると、製造がより容易となるので好ましい。
【０００９】
ここで、この考案に係る健康補助具を構成する「特定の粒状体」とは、磁気や遠赤外線あるいはマイナスイオンを発生する磁性金属、機能性セラミックス、ゲルマニウム、トルマリンなどの粒状体のほか、生体に有用な特定の波動を発生するもの、すなわち、有用微生物群（ＥＭ）が生成した二次的副産物（ＥＭ−Ｘ）を含有するＥＭ−Ｘセラミックスの粒状体などが挙げられる。
【００１０】
また、この考案に係る健康補助具の外皮は、肩用パッド、首用ストラップ、背中用パッド、腰用パッド、アイマスク、鉢巻き、靴の中敷き、サポータ、シート、マット等として構成することができる。そして、この外皮は、各種の天然繊維や合成繊維からなる布地や不織布あるいは合成樹脂エラストマーのシート材などで構成することができる。
【考案の効果】
【００１１】
この考案に係る健康補助具によれば、健康補助機能を有する特定の粒状体が外皮の内面の接着剤層の間に層状に保持されているため、特定の粒状体が外皮内で移動して偏在することがなく、患部に対し均一に所期の健康補助効果を確実に発揮することができる。また、製造の際には、外皮にキルティングを施す作業が不用であるため、製造が容易である。
【考案を実施するための最良の形態】
【００１２】
以下、図面を参照してこの考案に係る健康補助具の実施の形態を説明する。参照する図面において、図１は各実施形態に係る健康補助具の断面構造を示す部分断面図、図２は第１実施形態に係る健康補助具の内面側から見た展開正面図、図３は図２に示した健康補助具の装着状態を示す正面図である。
【００１３】
この考案の以下に述べる各実施形態に係る健康補助具は、図１の部分断面図に示すように、健康補助機能を有する特定の粒状体Ａが外皮Ｂ，Ｃで覆われた断面構造を有する。ここで、外皮Ｂ，Ｃの内面には両面テープＤ，Ｄがそれぞれ貼設されており、この両面テープＤ，Ｄの接着剤層の間に特定の粒状体Ａが層状に保持されている。
【００１４】
特定の粒状体Ａは、例えば有用微生物群（ＥＭ）が生成した二次的副産物（ＥＭ−Ｘ）を含有するＥＭ−Ｘセラミックスの粒状体であり、遠赤外線および生体に有用な特定の波動を発生する。この粒状体Ａの粒径は、例えば1〜２ｍｍ程度であるが、その前後の粒径に適宜変更することができる。
【００１５】
外皮Ｂ，Ｃとしては、クッション性を有する例えば２ｍｍ程度の厚さのキルティング布地が使用されている。なお、各種の天然繊維や合成繊維からなる厚手の布地や不織布、フェルト、合成樹脂エラストマーのシート材などが外皮Ｂ，Ｃとして使用可能である。
【００１６】
ここで、図２に示すように、第１実施形態の健康補助具１は、外皮Ｂ，Ｃが首用ストラップ１Ａおよび肩用パッド１Ｂとして構成されている。首用ストラップ１Ａは幅が２〜５ｃｍ、長さが５５〜６０ｃｍ程度の帯状であり、その周縁部にはバイヤステープＢＴが縫着されている。そして、首用ストラップ１Ａの一端部の外面には面ファスナーのループ片Ｒが縫着され、他端部の内面には面ファスナーのフック片Ｆが縫着されており、ループ片Ｒにフック片Ｆを重ねて係着することで、装着者の首に掛けられるようになっている。
【００１７】
一方、肩用パッド１Ｂは、左右幅が３０ｃｍ程度、上下幅が２０〜２５ｃｍ程度であって、その上辺には装着者の首を通す襟ぐり１Ｂ１が切り欠かれており、この肩用パッド１Ｂの周縁部にはバイヤステープＢＴが縫着されている。そして、襟ぐり１Ｂ１の下縁部には、首用ストラップ１Ａの中央部の下縁部が一体に縫着されている。
【００１８】
首用ストラップ１Ａ内に層状に保持される特定の粒状体Ａの総量は、例えば１０ｇであり、肩用パッド１Ｂ内に層状に保持される特定の粒状体Ａの総量は、例えば４０ｇである。
【００１９】
第１実施形態の健康補助具１は、装着者の背中側から肩用パッド１Ｂの襟ぐり１Ｂ１の両側部分を肩に被せ、首用ストラップ１Ａを首に掛け廻し、その両端部の面ファスナーのループ片Ｒとフック片Ｆとを胸側で重ねて係着することにより、図３に示すように装着される。
【００２０】
このような使用状態において、第１実施形態の健康補助具１では、首用ストラップ１Ａ内および肩用パッド１Ｂ内の特定の粒状体Ａが遠赤外線および生体に有用な特定の波動を発生し、これを装着者の患部である首廻り、両肩および背中に向けて照射する。その際、特定の粒状体Ａは、両面テープＤ，Ｄの接着剤層の間に層状に保持されており、首用ストラップ１Ａ内および肩用パッド１Ｂ内で移動して偏在することがないため、装着者の患部である首廻り、両肩および背中に対し、遠赤外線および生体に有用な特定の波動を均一に照射する。その結果、肩こりや筋肉痛などを緩和する所期の健康補助効果が確実に得られる。
【００２１】
また、第１実施形態の健康補助具１は、首用ストラップ１Ａおよび肩用パッド１Ｂを構成する外皮Ｂ，Ｃに後加工でキルティングを施す作業が不用であるため、製造が容易である。
【００２２】
図４に示すように、第２実施形態の健康補助具２は、外皮Ｂ，Ｃが首用ストラップ２Ａおよび背中用パッド２Ｂとして構成されている。首用ストラップ２Ａは、幅が３ｃｍ、長さが５５ｃｍ程度の帯状であり、その周縁部にはバイヤステープＢＴが縫着されている。そして、首用ストラップ１Ａの一端部の外面には面ファスナーのループ片Ｒが縫着され、他端部の内面には面ファスナーのフック片Ｆが縫着されており、ループ片Ｒにフック片Ｆを重ねて係着することで、装着者の首に掛けられるようになっている。
【００２３】
一方、背中用パッド２Ｂは、左右幅が３０ｃｍ程度、上下幅が１０〜２０ｃｍ程度の長方形に形成されており、その周縁部にはバイヤステープＢＴが縫着されている。そして、この背中用パッド２Ｂの上縁中央部と首用ストラップ２Ａの下縁中央部とが接続片２Ｃによって連結されている。
【００２４】
首用ストラップ２Ａ内に層状に保持される特定の粒状体Ａの総量は、例えば１０ｇであり、背中用パッド２Ｂ内に層状に保持される特定の粒状体Ａの総量は、例えば４０ｇである。
【００２５】
第２実施形態の健康補助具２では、第１実施形態の健康補助具１の首用ストラップ１Ａと同様に、首用ストラップ２Ａが装着者の首に掛け廻して装着されることにより（図３参照）、背中用パッド２Ｂが装着者の背中を覆う。
【００２６】
このような使用状態において、第２実施形態の健康補助具２では、首用ストラップ２Ａ内および背中用パッド２Ｂ内の特定の粒状体Ａが遠赤外線および生体に有用な特定の波動を発生し、これを装着者の患部である首廻りおよび背中に向かって照射する。その際、特定の粒状体Ａは、両面テープＤ，Ｄの接着剤層の間に層状に保持されており、首用ストラップ１Ａ内および肩用パッド１Ｂ内で移動して偏在することがないため、装着者の患部である首廻りおよび背中に対し、遠赤外線および生体に有用な特定の波動を均一に照射する。その結果、首廻りや背中の筋肉痛などを緩和する所期の健康補助効果が確実に得られる。
【００２７】
図５に示すように、第３実施形態の健康補助具３は、外皮Ｂ，Ｃが左右一対の腰用パッド３Ａ，３Ａとして構成されている。各腰用パッド３Ａは、左右幅が１２ｃｍ程度、上下幅が１８ｃｍ程度の長方形に形成されており、その周縁部にはバイヤステープＢＴが縫着されている。各腰用パッド３Ａ内に層状に保持される特定の粒状体Ａの総量は、例えば５０ｇである。
【００２８】
一対の腰用パッド３Ａ，３Ａは、装着者の腰に巻き付けるベルト３Ｂの長手方向中央部に隣接して配置され、それぞれベルト３Ｂの内面に縫着されている。このベルト３Ｂの幅は、腰用パッド３Ａの上下幅と同幅の中央部から左右の端部に向かって狭くなっており、その一端部の表面には面ファスナーのループ片Ｒが縫着され、他端部の裏面には面ファスナーのフック片Ｆが縫着されている。
【００２９】
第３実施形態の健康補助具３では、ベルト３Ｂを装着者の腰に巻き付け、その一端部のループ片Ｒに他端部のフック片Ｆを重ねて係着することで、一対の腰用パッド３Ａ，３Ａが装着者の腰に押し当てられる。
【００３０】
このような使用状態において、第３実施形態の健康補助具３では、腰用パッド３Ａ，３Ａ内の特定の粒状体Ａが遠赤外線および生体に有用な特定の波動を発生し、これを装着者の患部である腰に向かって照射する。その際、特定の粒状体Ａは、両面テープＤ，Ｄの接着剤層の間に層状に保持されており、腰用パッド３Ａ，３Ａ内で移動して偏在することがないため、装着者の患部である腰部に対し、遠赤外線および生体に有用な特定の波動を均一に照射する。その結果、腰痛などを緩和する所期の健康補助効果が確実に得られる。
【００３１】
図６、図７に示すように、第４実施形態の健康補助具４は、外皮Ｂ，Ｃが左右一対の腰用パッド４Ａ，４Ａとして構成されている。各腰用パッド４Ａは、例えば左右幅が１０ｃｍ程度、上下幅が１３ｃｍ程度の長方形に形成されており、その周縁部にはバイヤステープＢＴが縫着されている。各腰用パッド４Ａ内に層状に保持される特定の粒状体Ａの総量は、例えば５０ｇである。
【００３２】
腰用パッド４Ａ，４Ａの裏面には、装着者の腰に巻き付けるベルト４Ｂが挿通される保持片４Ｃ，４Ｃが縫着されている。そして、この保持片４Ｃ，４Ｃに挿通されるベルト４Ｂの一端部の外面には面ファスナーのループ片Ｒが縫着され、他端部の内面には面ファスナーのフック片Ｆが縫着されている。
【００３３】
第４実施形態の健康補助具４では、ベルト４Ｂを装着者の腰に巻き付け、その一端部のループ片Ｒに他端部のフック片Ｆを重ねて係着することで、一対の腰用パッド４Ａ，４Ａが装着者の腰に押し当てられる。
【００３４】
このような使用状態において、第４実施形態の健康補助具４では、腰用パッド４Ａ，４Ａ内の特定の粒状体Ａが遠赤外線および生体に有用な特定の波動を発生し、これを装着者の患部である腰に向かって照射する。その際、特定の粒状体Ａは、両面テープＤ，Ｄの接着剤層の間に層状に保持されており、腰用パッド４Ａ，４Ａ内で移動して偏在することがないため、装着者の患部である腰部に対し、遠赤外線および生体に有用な特定の波動を均一に照射する。その結果、腰痛などを緩和する所期の健康補助効果が確実に得られる。
【００３５】
図８、図９に示すように、第５実施形態の健康補助具５は、外皮Ｂ，Ｃがアイマスク５Ａとして構成されており、その周縁部にはバイヤステープＢＴが縫着されている。このアイマスク５Ａ内には、装着者の両眼を覆う部分に対応した円形の領域５Ｂ，５Ｂが設定され、各領域５Ｂ内に特定の粒状体Ａが層状に保持されている。各領域５Ｂ内に保持される特定の粒状体Ａの総量は、例えば２．５ｇである。なお、粒状体Ａは、円形の領域５Ｂ，５Ｂを設定することなく、アイマスク５Ａの全体に保持させてもよい。
【００３６】
図９に示すように、アイマスク５Ａの裏面には、装着者の頭部に装着するための４本の平ゴム５Ｃが配置され、各平ゴム５Ｃの端部はアイマスク５Ａの左右の端部に連結されている。
【００３７】
第５実施形態の健康補助具５では、装着者の頭部に平ゴム５Ｃを掛け廻してアイマスク５Ａを装着することで、アイマスク５Ａの左右一対の円形の領域５Ｂ，５Ｂが装着者の両眼を覆うようになる。
【００３８】
このような使用状態において、第５実施形態の健康補助具５では、アイマスク５Ａの円形の領域５Ｂ，５Ｂ内の特定の粒状体Ａが遠赤外線および生体に有用な特定の波動を発生し、これを装着者の両眼に向けて照射する。その際、特定の粒状体Ａは、両面テープＤ，Ｄの接着剤層の間に層状に保持されており、アイマスク５Ａの円形の領域５Ｂ，５Ｂ内で移動して偏在することがないため、装着者の両眼に対し、遠赤外線および生体に有用な特定の波動を均一に照射する。その結果、眼精疲労を緩和し、安眠を誘発するなどの所期の健康補助効果が確実に得られる。
【００３９】
図１０に示すように、第６実施形態の健康補助具６は、外皮Ｂ，Ｃが概略長方形のアイマスク６Ａとして構成されており、その周縁部にはバイヤステープＢＴが縫着されている。このアイマスク６Ａ内には、装着者の両眼を覆う部分に対応した円形の領域６Ｂ，６Ｂが設定され、各領域６Ｂ内に特定の粒状体Ａが層状に保持されている。各領域６Ｂ内に保持される特定の粒状体Ａの総量は、例えば２．５ｇである。
【００４０】
アイマスク５Ａの左右の端部には、左右一対のストラップ６Ｃ，６Ｃの一端部がそれぞれ縫着されている。一方のストラップ６Ｃの他端部の外面には面ファスナーのループ片Ｒが縫着され、他方のストラップ６Ｃの他端部の内面には面ファスナーのフック片Ｆが縫着されている。
【００４１】
第６実施形態の健康補助具６では、装着者の頭部に一対のストラップ６Ｃ，６Ｃを掛け廻し、その他端部のループ片Ｒにフック片Ｆを重ねて係着することでアイマスク６Ａが装着される。そして、この装着状態では、アイマスク６Ａの左右一対の円形の領域６Ｂ，６Ｂが装着者の両眼を覆うようになるため、第５実施形態の健康補助具５と同様の作用効果を発揮することができる。
【００４２】
図１１に示すように、第７実施形態の健康補助具７は、外皮Ｂ，Ｃが鉢巻き７Ａとして構成されている。この鉢巻き７Ａは、例えば幅が５ｃｍ、長さが６５ｃｍ程度であり、その周縁部にはバイヤステープＢＴが縫着されている。そして、鉢巻き７Ａの一端部の外面には面ファスナーのループ片Ｒが縫着され、他端部の内面には面ファスナーのフック片Ｆが縫着されており、ループ片Ｒにフック片Ｆを重ねて係着することで、鉢巻き７Ａとして簡易に使用できるようになっている。
【００４３】
この鉢巻き７Ａ内に層状に保持される特定の粒状体Ａの総量は、例えば頭痛用鉢巻きでは１０ｇ、ボケ防止用鉢巻きでは７ｇ、合格祈願用鉢巻きでは５ｇ程度の適量とされている。
【００４４】
第７実施形態の健康補助具７では、装着者の頭部に鉢巻き７Ａを巻いた使用状態において、鉢巻き７Ａ内の特定の粒状体Ａが遠赤外線および生体に有用な特定の波動を発生し、これを装着者の頭部に向けて照射する。その際、特定の粒状体Ａは、両面テープＤ，Ｄの接着剤層の間に層状に保持されており、鉢巻き７Ａ内で移動して偏在することがないため、装着者の頭部に対し、遠赤外線および生体に有用な特定の波動を均一に照射する。その結果、頭痛の緩和、ボケ防止、精神集中力の増進、精神安定効果、安眠効果などの所期の健康補助効果が確実に得られる。
【００４５】
図１２に示すように、第８実施形態の健康補助具８は、外皮Ｂ，Ｃが合成皮革などの適宜の材料によって靴の中敷き８Ａ，８Ａとして構成されており、外皮Ｂ，Ｃの周縁部は相互に縫着されている。各中敷き８Ａ内に層状に保持される特定の粒状体Ａの総量は、例えば１０ｇ程度である。
【００４６】
第８実施形態の健康補助具８では、左右一対の靴の中敷き８Ａ，８Ａが挿入された靴を装着者が履いた使用状態において、中敷き８Ａ，８Ａ内の特定の粒状体Ａが遠赤外線および生体に有用な特定の波動を発生し、これを装着者の足裏に向けて照射する。その際、特定の粒状体Ａは、両面テープＤ，Ｄの接着剤層の間に層状に保持されており、各中敷き８Ａ内で移動して偏在することがないため、装着者の足裏に対し、遠赤外線および生体に有用な特定の波動を均一に照射する。その結果、足の疲れ防止、足裏のツボ刺激効果などの所期の健康補助効果が確実に得られる。
【００４７】
図１３に示すように、第９実施形態の健康補助具９は、外皮Ｂ，Ｃがマット９Ａとして構成されており、マット９Ａの周縁部にはバイヤステープＢＴが縫着されている。マット９Ａの厚さは３〜１０ｍｍ程度であり、縦横の寸法は、用途に応じて適宜設定される。そして、このマット９Ａ内に層状に保持される特定の粒状体Ａの総量は、マット９Ａの面積に応じて適宜設定される。
【００４８】
例えば、縦５０〜６０ｃｍ、横５０〜６０ｃｍに設定された多用途のマット９Ａ内には、例えば１００〜１５０ｇ程度の特定の粒状体Ａが層状に保持される。この多用途のマット９Ａは、例えば、寝具として、頭部から肩部の下に敷く、背中から腰部、臀部の下に敷く、脚部の下に敷く、胸部から腹部の上にかける、脚部の上に掛けたり巻いたりする、枕の下に敷く、枕に巻く、などの方法で使用される。また、座布団や椅子の上に敷いて使用される。
【００４９】
また、縦１００ｃｍ、横４５ｃｍに設定された背もたれ椅子用のマット９Ａ内には、例えば１５０ｇ程度の特定の粒状体Ａが層状に保持される。この背もたれ椅子用のマット９Ａ、各種の背もたれ椅子、自動車のシート、座椅子などに敷いて使用される。
【００５０】
さらに、縦１８０ｃｍ、横９０ｃｍに設定された全身用のマット９Ａ内には、例えば１０００ｇ程度の特定の粒状体Ａが層状に保持され、縦１６０ｃｍ、横８０ｃｍに設定された全身用のマット９Ａ内には、例えば３００ｇ程度の特定の粒状体Ａが層状に保持される。これらの全身用のマット９Ａは、寝具としてベッドや布団の上に敷いて使用される。
【００５１】
このようなマット９Ａとして構成された第９実施形態の健康補助具９の使用状態においては、マット９Ａ内の特定の粒状体Ａが遠赤外線および生体に有用な特定の波動を発生し、これをマット９Ａの使用者に向けて照射する。その際、特定の粒状体Ａは、両面テープＤ，Ｄの接着剤層の間に層状に保持されており、マット９Ａ内で移動して偏在することがないため、マット９Ａの使用者に対し、使用状態に応じて身体の各部に遠赤外線および生体に有用な特定の波動を均一に照射する。その結果、全身の疲労回復、内蔵機能の回復など、所期の健康補助効果が確実に得られる。
【００５２】
さらに、図１１に示した第７実施形態の健康補助具７は、長さを５５ｃｍ程度として、首廻りのコリや鞭打ち症の緩和のために使用者の首に巻いて使用することができる。
【００５３】
この考案に係る健康補助具は、前述した各実施形態に限定されるものではない、例えば、特定の粒状体Ａとしては、ＥＭ−Ｘセラミックスの粒状体に限らず、磁気を発生する磁性金属の粒状体、遠赤外線を発生する機能性セラミックスの粒状体、マイナスイオンを発生するゲルマニウムやトルマリンなどの粒状体を使用することができる。また、粒状体Ａの粒径は、適宜選択することができる。また、この考案に係る健康補助具は、前述した各実施形態の他に手首に巻くリストバンド、足首に巻くレッグバンド、あるいは膝当て等にも応用できるものである。
【図面の簡単な説明】
【００５４】
【図１】この考案の各実施形態に係る健康補助具の断面構造を示す部分断面図である。
【図２】第１実施形態に係る健康補助具の内面側から見た展開正面図である。
【図３】図２に示した健康補助具の装着状態を示す正面図である。
【図４】第２実施形態に係る健康補助具の外面側から見た展開正面図である。
【図５】第３実施形態に係る健康補助具の内面側から見た展開正面図である。
【図６】第４実施形態に係る健康補助具の内面側から見た展開正面図である。
【図７】第４実施形態に係る健康補助具の外面側から見た展開正面図である。
【図８】第５実施形態に係る健康補助具の正面図である。
【図９】第５実施形態に係る健康補助具の背面図である。
【図１０】第６実施形態に係る健康補助具の外面側から見た展開正面図である。
【図１１】第７実施形態に係る健康補助具の外面側から見た展開正面図である。
【図１２】第８実施形態に係る健康補助具の平面図である。
【図１３】第８実施形態に係る健康補助具の平面図である。
【符号の説明】
【００５５】
１    健康補助具
１Ａ  首用ストラップ
１Ｂ  肩用パッド
２    健康補助具
２Ａ  首用ストラップ
２Ｂ  背中用パッド
３    健康補助具
３Ａ  腰用パッド
３Ｂ  ベルト
４    健康補助具
４Ａ  腰用パッド
４Ｂ  ベルト
４Ｃ  接続フランジ
５    健康補助具
５Ａ  アイマスク
５Ｂ  円形の領域
５Ｃ  平ゴム
６    健康補助具
６Ａ  アイマスク
６Ｂ  円形の領域
６Ｃ  ストラップ
７    健康補助具
７Ａ  鉢巻き
８    健康補助具
８Ａ  靴の中敷き
９    健康補助具
９Ａ  マット
Ａ    特定の粒状体
Ｂ    外皮
Ｃ    外皮
Ｄ    両面テープ
Ｆ    面ファスナーのフック片
Ｒ    面ファスナーのループ片
ＢＴ  バイヤステープ
【図１】
0003108866.tif 000003
【図２】
0003108866.tif 000004
【図３】
0003108866.tif 000005
【図４】
0003108866.tif 000006
【図５】
0003108866.tif 000007
【図６】
0003108866.tif 000008
【図７】
0003108866.tif 000009
【図８】
0003108866.tif 000010
【図９】
0003108866.tif 000011
【図１０】
0003108866.tif 000012
【図１１】
0003108866.tif 000013
【図１２】
0003108866.tif 000014
【図１３】
0003108866.tif 000015